(57)【要約】【課題】デバイス周囲の状況に応じて適切な詳細度で個人向け情報を表示する。【解決手段】情報出力装置１は、情報表示端末５の周辺の情報を示すデバイス周辺情報を受信し、デバイス周辺情報に基づいて情報表示端末５が不特定多数のユーザの目に触れる程度を表す指標であるデバイス公開度を求め、デバイス公開度に基づいて表示する情報の詳細さを決めて、その詳細さに応じて情報表示端末５に表示する情報を変換して出力する。これにより、個人が占有しにくく、他者の目にも触れる可能性のある情報表示端末５の周囲にいるユーザ数やユーザの属性（知人か他人か）に応じて、適切な詳細度で個人向け情報を表示することが可能となる。【選択図】図１
2016099920.tif 000002
【特許請求の範囲】
【請求項１】
複数ユーザの目に触れる可能性のあるデバイスに個人向けの情報を表示させる情報出力装置であって、
前記デバイスに前記情報を表示させるときの前記デバイスの周辺の状況を示すデバイス周辺情報を取得し、当該デバイス周辺情報に基づいて前記デバイスが不特定多数のユーザの目に触れる程度を表すデバイス公開度を求めるデバイス公開度算出手段と、
前記デバイス公開度に基づいて表示する情報の詳細さを決めて、当該詳細さに応じて前記情報を変換して出力する情報変換手段と、
を有することを特徴とする情報出力装置。
【請求項２】
前記デバイス周辺情報は前記デバイスの近くにいる人の数を含み、
前記デバイス公開度算出手段は、前記人の数に基づいて前記デバイス公開度を求めることを特徴とする請求項１記載の情報出力装置。
【請求項３】
ユーザ間の関係を格納した関係蓄積手段を有し、
前記デバイス周辺情報は前記デバイスの近くにいるユーザを識別する情報を含み、
前記デバイス公開度算出手段は、前記情報の対象ユーザと前記デバイスの近くにいる他のユーザとの関係に基づいて前記デバイス公開度を求めることを特徴とする請求項１記載の情報出力装置。
【請求項４】
前記デバイス周辺情報は前記デバイスの表示画面の大きさと配置位置情報を含み、
前記デバイス公開度算出手段は、前記表示画面の大きさと前記配置位置情報に基づいて前記デバイス公開度を求めることを特徴とする請求項１記載の情報出力装置。
【請求項５】
コンピュータによって実行される、複数ユーザの目に触れる可能性のあるデバイスに個人向けの情報を表示させる情報出力方法であって、
前記デバイスに前記情報を表示させるときの前記デバイスの周辺の状況を示すデバイス周辺情報を取得するステップと、
前記デバイス周辺情報に基づいて前記デバイスが不特定多数のユーザの目に触れる程度を表すデバイス公開度を求めるステップと、
前記デバイス公開度に基づいて表示する情報の詳細さを決めるステップと、
前記詳細さに応じて前記情報を変換して出力するステップと、
を有することを特徴とする情報出力方法。
【請求項６】
請求項１乃至４のいずれかに記載の情報出力装置の各手段としてコンピュータを動作させることを特徴とする情報出力プログラム。
【発明の詳細な説明】
【技術分野】
【０００１】
本発明は、情報を出力する技術に関する。
【背景技術】
【０００２】
ハードウェアの小型化・低価格化により、ＩｏＴ（Ｉｎｔｅｒｎｅｔ  ｏｆ  Ｔｈｉｎｇｓ：モノのインターネット）やＭ２Ｍ（Ｍａｃｈｉｎｅ  ｔｏ  Ｍａｃｈｉｎｅ：機器間通信）といった技術が現実味を帯び、環境中の機器・センサー（以下「デバイス」と称する）が連携してユーザを支援するスマート環境（Ｓｍａｒｔ  Ｅｎｖｉｒｏｎｍｅｎｔ）が国内外で注目を集めている。
【０００３】
環境中に複数のデバイスがある状況において、システムからユーザに何らかの情報を通知する場合、環境中のデバイスを情報出力デバイスとして利用する方法が提案されている。
【０００４】
例えば、特許文献１では、情報出力に対する要求の度合い（タスク要求信頼度）と、デバイスの性能指標（組合せ信頼度）を比較して情報出力デバイスを選定している。
【０００５】
また、非特許文献１では、情報のファイル形式をサポートし（ｆｏｒｍａｔ  ｍａｔｃｈｉｎｇ  ｆｉｌｔｅｒ）、かつ、情報を高品質に出力できる順番にデバイスを順位付けている（ｃａｔｅｇｏｒｙ  ｂａｓｅｄ  ｒａｎｋｅｒ）。
【先行技術文献】
【特許文献】
【０００６】
【特許文献１】特許第４４６９２９２号公報
【非特許文献】
【０００７】
【非特許文献１】Yasuyuki Kataoka, Tomoki Watanabe, Kiyoshi Tanaka and Tomohiro Yamada,“Consumer Device Recommendation Method for Web-Based Distributed Browsing”,ICCE2014, IEEE, 2014, p.87-88
【発明の概要】
【発明が解決しようとする課題】
【０００８】
しかしながら、特許文献１や非特許文献１は適切なデバイスを選定することはできるが、デバイスが不特定多数の人の目に触れている状況であるか否かなど、デバイスの周囲の状況を考慮して情報を出力していない。例えば、秘匿性が高い個人向けの情報を不特定多数の人の目に触れるデバイスに出力してしまう危険性がある。逆に、秘匿性が高い個人向けの情報を不特定多数の人の目に触れるデバイスには常に表示しないと決めてしまうと、デバイスの前にユーザが一人しかいない場合であっても、秘匿性が高い個人向けの情報がデバイスに表示されない。そのため、ユーザは情報取得の機会を逸してしまう可能性がある。
【０００９】
本発明は、上記に鑑みてなされたものであり、デバイス周囲の状況に応じて適切な詳細度で個人向け情報を表示することを目的とする。
【課題を解決するための手段】
【００１０】
第１の本発明に係る情報出力装置は、複数ユーザの目に触れる可能性のあるデバイスに個人向けの情報を表示させる情報出力装置であって、前記デバイスに前記情報を表示させるときの前記デバイスの周辺の状況を示すデバイス周辺情報を取得し、当該デバイス周辺情報に基づいて前記デバイスが不特定多数のユーザの目に触れる程度を表すデバイス公開度を求めるデバイス公開度算出手段と、前記デバイス公開度に基づいて表示する情報の詳細さを決めて、当該詳細さに応じて前記情報を変換して出力する情報変換手段と、を有することを特徴とする。
【００１１】
上記情報出力装置において、前記デバイス周辺情報は前記デバイスの近くにいる人の数を含み、前記デバイス公開度算出手段は、前記人の数に基づいて前記デバイス公開度を求めることを特徴とする。
【００１２】
上記情報出力装置において、ユーザ間の関係を格納した関係蓄積手段を有し、前記デバイス周辺情報は前記デバイスの近くにいるユーザを特定する情報を含み、前記デバイス公開度算出手段は、前記情報の対象ユーザと前記デバイスの近くにいる他のユーザとの関係に基づいて前記デバイス公開度を求めることを特徴とする。
【００１３】
上記情報出力装置において、前記デバイス周辺情報は前記デバイスの表示画面の大きさと配置位置情報を含み、前記デバイス公開度算出手段は、前記表示画面の大きさと前記配置位置情報に基づいて前記デバイス公開度を求めることを特徴とする。
【００１４】
第２の本発明に係る情報出力方法は、コンピュータによって実行される、複数ユーザの目に触れる可能性のあるデバイスに個人向けの情報を表示させる情報出力方法であって、前記デバイスに前記情報を表示させるときの前記デバイスの周辺の状況を示すデバイス周辺情報を取得するステップと、前記デバイス周辺情報に基づいて前記デバイスが不特定多数のユーザの目に触れる程度を表すデバイス公開度を求めるステップと、前記デバイス公開度に基づいて表示する情報の詳細さを決めるステップと、前記詳細さに応じて前記情報を変換して出力するステップと、を有することを特徴とする情報出力方法。
【００１５】
第３の本発明に係る情報出力プログラムは、上記情報出力装置の各手段としてコンピュータを動作させることを特徴とする。
【発明の効果】
【００１６】
本発明によれば、デバイス周囲の状況に応じて適切な詳細度で個人向け情報を表示することができる。
【図面の簡単な説明】
【００１７】
【図１】本実施の形態における情報出力装置を含む全体構成図である。
【図２】本実施の形態における情報出力装置の処理の流れを示すフローチャートである。
【図３】実施例１における情報出力装置を含む全体構成図である。
【図４】実施例１のスマートフォンが受信したメッセージの例を示す図である。
【図５】実施例１のデバイス周辺情報の例を示す図である。
【図６】実施例１のデバイス公開度の判定処理の流れを示すフローチャートである。
【図７】実施例１の情報表示項目を判定する処理の流れを示すフローチャートである。
【図８】実施例１の変換後の出力情報の例を示す図である。
【図９】実施例２における情報出力装置を含む全体構成図である。
【図１０】鑑賞スケジュールの例を示す図である。
【図１１】人間関係ＤＢに格納される人間関係データの例を示す図である。
【図１２】実施例２のデバイス周辺情報の例を示す図である。
【図１３】実施例２のデバイス公開度の判定処理の流れを示すフローチャートである。
【図１４】実施例２の表示項目を判定する処理の流れを示すフローチャートである。
【図１５】実施例２の変換後の出力情報の例を示す図である。
【図１６】実施例３における情報出力装置１を含む全体構成図である。
【図１７】行き先情報の例を示す図である。
【図１８】デジタルサイネージ情報の例を示す図である。
【図１９】実施例３のデバイス公開度の判定処理の流れを示すフローチャートである。
【図２０】実施例３の表示する項目を判定する処理の流れを示すフローチャートである。
【図２１】実施例３の情報形式変換部が地図ＤＢを用いて地図を作成する処理の流れを示すフローチャートである。
【図２２】デジタルサイネージそれぞれに表示される画面の例を示す図である。
【発明を実施するための形態】
【００１８】
以下、本発明の実施の形態について図面を用いて説明する。
【００１９】
図１は、本実施の形態における情報出力装置を含む全体構成図である。図１に示す情報出力装置１は、情報表示端末５に表示する個人向け情報をサーバ３から受信するとともに、デバイス周辺情報収集装置４が収集した情報表示端末５の周辺の状況を示すデバイス周辺情報を受信し、デバイス周辺情報に基づいて情報表示端末５のデバイス公開度（デバイスが不特定多数のユーザの目に触れる程度を表す指標）を判定し、判定したデバイス公開度に基づいて表示する情報の情報詳細度（出力しようとする情報の詳細さを表す指標）を決定し、情報表示端末５で表示する情報を情報詳細度に基づく形式に変換して情報表示端末５に表示させる装置である。例えば、複数ユーザの目に触れる可能性のある情報表示端末５があるユーザ向けの情報を表示するとき、情報表示端末５の周囲にユーザＡ以外に不特定多数の人がいる場合、情報表示端末５のデバイス公開度は高いと判定し、情報詳細度を低くして、情報の概要だけを表示する。また、情報表示端末５の周囲にユーザＡだけがいる場合、情報表示端末５のデバイス公開度は低いと判定し、情報詳細度を高くして、情報の詳細を表示する。
【００２０】
図１に示す情報出力装置１は、情報入力部１１、デバイス周辺情報入力部１２、デバイス公開度判定部１３、情報詳細度決定部１４、情報形式変換部１５、及び情報出力部１６を備える。
【００２１】
情報入力部１１は、情報表示端末５に表示させる情報を入力する。
【００２２】
デバイス周辺情報入力部１２は、情報表示端末５に関するデバイス周辺情報を入力する。
【００２３】
デバイス公開度判定部１３は、デバイス周辺情報に基づいて情報表示端末５のデバイス公開度を判定する。例えば、情報表示端末５の周辺にいる人数に応じて、人数が少ない場合はデバイス公開度を低く、人数が多い場合はデバイス公開度を高くする。あるいは、情報表示端末５の周辺にいる人の属性に応じて、知人のみがいる場合はデバイス公開度を低く、他人もいる場合はデバイス公開度を高くする。あるいは、情報表示端末５の表示画面の大きさや配置位置に基づいてデバイス公開度を判定してもよい。
【００２４】
情報詳細度決定部１４は、デバイス公開度に基づいて情報表示端末５に表示させる情報の詳細さを表す情報詳細度を決定する。具体的には、デバイス公開度が低い場合は、より詳細な情報まで表示させるように情報詳細度を決定し、デバイス公開度が高い場合は、詳細な情報を表示させないように情報詳細度を決定する。
【００２５】
情報形式変換部１５は、情報詳細度に基づいて情報表示端末５に表示させる情報の形式を変換する。具体的には、情報詳細度が低い場合は、表示させる情報の詳細を含まない形式に変換し、情報詳細度が高い場合は、表示させる情報の詳細を含む形式に変換する。つまり、情報詳細度が高くなるほどより詳しい情報が情報表示端末５に表示されるように表示させる情報を変換する。
【００２６】
情報出力部１６は、変換された情報を出力する。
【００２７】
サーバ３は、情報表示端末５に表示させる情報を取得あるいは保持し、所定のタイミング（例えば、情報を取得したとき、決められた時刻になったとき、表示させる情報の対象ユーザが情報表示端末５に近づいたときなど）で、表示させる情報を情報出力装置１に送信し、情報出力装置１から受信した情報を情報表示端末５に表示させる。また、デバイス周辺情報収集装置４からデバイス周辺情報を受信して情報出力装置１に送信する。
【００２８】
デバイス周辺情報収集装置４は、情報表示端末５に関するデバイス周辺情報を収集する。例えば、デバイス周辺情報としては、情報表示端末５の周囲にいる人を特定する情報、属性、人数あるいは情報表示端末５の表示画面の大きさや配置位置がある。
【００２９】
情報表示端末５は、情報出力装置１が出力した情報を表示する。
【００３０】
なお、情報出力装置１、サーバ３が備える各部は、演算処理装置、記憶装置等を備えたコンピュータにより構成して、各部の処理がプログラムによって実行されるものとしてもよい。このプログラムは情報出力装置１、サーバ３が備える記憶装置に記憶されており、磁気ディスク、光ディスク、半導体メモリ等の記録媒体に記録することも、ネットワークを通して提供することも可能である。
【００３１】
次に、本実施の形態における情報出力装置１の処理について説明する。
【００３２】
図２は、本実施の形態における情報出力装置１の処理の流れを示すフローチャートである。
【００３３】
情報入力部１１は、サーバ３から情報表示端末５に表示させる情報を入力する（ステップＳ１）。
【００３４】
デバイス周辺情報入力部１２は、サーバ３から情報表示端末５に関するデバイス周辺情報を入力する（ステップＳ２）。
【００３５】
デバイス公開度判定部１３は、デバイス周辺情報に基づいてデバイス公開度を判定する（ステップＳ３）。デバイス公開度の判定方法の詳細は後述の各実施例において説明する。
【００３６】
情報詳細度決定部１４は、デバイス公開度に基づいて情報詳細度を決定する（ステップＳ４）。
【００３７】
情報形式変換部１５は、情報詳細度に基づいて表示させる情報の形式を変換する（ステップＳ５）。
【００３８】
情報出力部１６は、変換した情報をサーバ３に送信し、情報表示端末５に表示させる（ステップＳ６）。
【００３９】
以上説明したように、本実施の形態によれば、情報出力装置１は、情報表示端末５の周辺の情報を示すデバイス周辺情報を受信し、デバイス周辺情報に基づいて情報表示端末５が不特定多数のユーザの目に触れる程度を表す指標であるデバイス公開度を求め、デバイス公開度に基づいて表示する情報の詳細さを決めて、その詳細さに応じて情報表示端末５に表示する情報を変換して出力することにより、個人が占有しにくく、他者の目にも触れる可能性のある情報表示端末５の周囲にいるユーザ数やユーザの属性（知人か他人か）に応じて、適切な詳細度で個人向け情報を表示することが可能となる。
【００４０】
（実施例１）
次に、家庭内において、スマートフォンがメッセージを受信したことをスマートＴＶにおいて通知する実施例１について説明する。実施例１では、スマートＴＶの周りにいる家族の人数に応じて表示される情報の詳細さが変化する。
【００４１】
図３は、実施例１における情報出力装置１を含む全体構成図である。実施例１では、サーバ３としてホームサーバ３１、デバイス周辺情報収集装置４として顔認識装置４１、情報表示端末５としてスマートＴＶ５１を用いた。
【００４２】
ホームサーバ３１は、情報出力装置１、顔認識装置４１、スマートＴＶ５１、およびスマートフォン６１とネットワーク経由で情報の送受信ができる。
【００４３】
顔認識装置４１はスマートＴＶ５１に隣接して配置され、家族の顔を予め登録しておくことで、スマートＴＶ５１の周囲に家族の誰がいるのか判定可能である。顔認識装置４１には市中製品を利用できる（例えば、“ＢｉｏＳｉｍｌｏ（バイオシムロ）”、［ｏｎｌｉｎｅ］、エヌ・ティ・ティ・アドバンステクノロジ株式会社、［２０１４年１１月２５日検索］、インターネット〈http://www.ntt-at.co.jp/product/biosimlo/〉）。
【００４４】
スマートＴＶ５１は、テレビ番組の表示に加えて、ホームサーバ３１から送信された情報を表示できる。実施例１では、スマートＴＶ５１はリビングに設置されているとする。
【００４５】
スマートフォン６１は、メッセージを受信し、受信したメッセージをホームサーバ３１に送信する。実施例１では、長女がスマートフォン６１の使用者であり、スマートフォン６１には長女宛のメッセージが送信される。スマートフォン６１はリビングから離れた長女の部屋に置いてあるとする。
【００４６】
長女は、スマートＴＶ５１に表示されるテレビ番組を観ており、父親、母親は、リビングと他の部屋を行き来しているとする。
【００４７】
以下、図２で示したフローチャートに沿って実施例１の動作について説明する。
【００４８】
ホームサーバ３１は、一定時間ごとに、スマートフォン６１が新着メッセージを受信したか否かを確認する。スマートフォン６１が新着メッセージを受信したときは、ホームサーバ３１は、スマートフォン６１から新着メッセージを取得し、情報入力部１１に送信する（ステップＳ１）。図４に、実施例１のスマートフォン６１が受信したメッセージの例を示す。図４に示すメッセージは、○○○○から長女に送信されたメッセージであり、メッセージ受信者、メッセージ送信者、タイトル、内容、受信日時の情報を有する。
【００４９】
ホームサーバ３１は、顔認識装置４１に問い合わせて、スマートＴＶ５１の周囲にいる人物の情報を取得し、取得した人物の情報をデバイス周辺情報としてデバイス周辺情報入力部１２に送信する（ステップＳ２）。図５に、実施例１のデバイス周辺情報の例をいくつか示す。実施例１のデバイス周辺情報は、出力デバイス、メッセージ受信者、出力デバイスの周囲にいる人の情報を有する。図５（ａ）はスマートＴＶ５１の周囲に長女のみがいるとき、図５（ｂ）はスマートＴＶ５１の周囲に父親と長女がいるとき、図５（ｃ）はスマートＴＶ５１の周囲に父親と母親と長女がいるときのデバイス周辺情報を示している。スマートＴＶ５１の周囲にメッセージ受信者が存在しないときは、以降の処理を実行せずに、スマートＴＶ５１に情報を表示しない。
【００５０】
情報出力装置１がデバイス周辺情報を受信すると、デバイス公開度判定部１３は、デバイス周辺情報に基づいてデバイス公開度を判定する（ステップＳ３）。実施例１では、スマートＴＶ５１の周囲にいる人数に基づいてデバイス公開度を判定する。
【００５１】
ここで、実施例１のデバイス公開度の判定について説明する。図６は、実施例１のデバイス公開度の判定処理の流れを示すフローチャートである。
【００５２】
まず、デバイス公開度判定部１３は、メッセージ受信者以外に周囲にＭ人以上の人かいるか否か判定する（ステップＳ３１１）。ここではＭ＝１とする。
【００５３】
周囲にＭ人以上いない場合は、デバイス公開度判定部１３はデバイス公開度を低と判定する（ステップＳ３１３）。
【００５４】
周囲にＭ人以上いる場合、デバイス公開度判定部１３は、メッセージ受信者以外に周囲にＮ（＞Ｍ）人以上の人がいるか否か判定する（ステップＳ３１２）。ここではＮ＝２とする。
【００５５】
周囲にＮ人以上いない場合は、デバイス公開度判定部１３はデバイス公開度を中と判定する（ステップＳ３１４）。
【００５６】
周囲にＮ人以上いる場合は、デバイス公開度判定部１３はデバイス公開度を高と判定する（ステップＳ３１５）。
【００５７】
以上の処理により、例えばデバイス周辺情報が図５（ａ）の場合、メッセージ受信者である長女以外に周囲に人がいないので、デバイス公開度は低と判定される。デバイス周辺情報が図５（ｂ）の場合、メッセージ受信者である長女以外に周囲にいる人は父親１人なのでデバイス公開度は中と判定される。デバイス周辺情報が図５（ｃ）の場合、メッセージ受信者である長女以外に周囲にいる人は父親と母親の２人なのでデバイス公開度は高と判定される。
【００５８】
なお、周囲にいる人が誰かという情報を用いてデバイス公開度を判定してもよい。例えば、周囲に母親１人がいる場合は、デバイス公開度を中とし、周囲に父親１人がいる場合は、デバイス公開度を高とする。
【００５９】
デバイス公開度が判定されると、情報詳細度決定部１４は、デバイス公開度に基づいてスマートＴＶ５１に表示させる表示項目を決定する（ステップＳ４）。
【００６０】
図７は、実施例１の表示項目を判定する処理の流れを示すフローチャートである。
【００６１】
まず、情報詳細度決定部１４は、デバイス公開度が低か否か判定する（ステップＳ４１１）。
【００６２】
デバイス公開度が低の場合、メッセージ受信者、メッセージ送信者、タイトルを表示する、と決定する（ステップＳ４１３）。
【００６３】
続いて、情報詳細度決定部１４は、デバイス公開度が中か否か判定する（ステップＳ４１２）。
【００６４】
デバイス公開度が中の場合、メッセージ受信者、メッセージ送信者を表示する、と決定する（ステップＳ４１４）。
【００６５】
デバイス公開度が中でない場合、つまりデバイス公開度が高の場合、メッセージ受信者のみを表示する、と決定する（ステップＳ４１５）。
【００６６】
表示項目は、上記の例に限らず、デバイス公開度が低いほど表示項目が多く、詳細になれば良い。例えば、デバイス公開度が低のときに、メッセージの内容を表示項目に含めてもよい。
【００６７】
表示項目が決定されると、情報形式変換部１５は、ステップＳ１で受信したメッセージの中から、情報詳細度決定部１４が決定した表示項目に該当する部分を抽出し、決められた形式に変換する（ステップＳ５）。図８に、実施例１の変換後の出力情報の例をいくつか示す。図８（ａ）はデバイス公開度が低のときの出力情報である。デバイス公開度が低のときは、メッセージ受信者、メッセージ送信者、タイトルを含む形式に変換される。図８（ｂ）はデバイス公開度が中のときの出力情報である。デバイス公開度が中のときは、メッセージ受信者、メッセージ送信者を含む形式に変換される。図８（ｃ）はデバイス公開度が高のときの出力情報である。デバイス公開度が高のときは、メッセージ受信者のみを含む形式に変換される。
【００６８】
そして、情報出力部１６は、変換後の出力情報をホームサーバ３１に送信し、ホームサーバ３１からスマートＴＶ５１に出力情報が送信されて、スマートＴＶ５１の画面上に出力情報が表示される（ステップＳ６）。
【００６９】
（実施例２）
次に、映画館にあるデジタルサイネージ上に、映画の上映開始時刻が迫っているユーザ向けのメッセージを表示する実施例２について説明する。実施例２では、デジタルサイネージの前にいる人の属性に応じて表示される情報の詳細さが変化する。
【００７０】
図９は、実施例２における情報出力装置１を含む全体構成図である。実施例２では、サーバ３として映画館サーバ３２、デバイス周辺情報収集装置４としてデバイス距離測定装置４２、情報表示端末５としてデジタルサイネージ５２を用いた。
【００７１】
映画館サーバ３２は、情報出力装置１、デバイス距離測定装置４２、デジタルサイネージ５２、およびユーザＡ〜Ｚそれぞれが保持するスマートフォン６２Ａ〜６２Ｚとネットワーク経由で情報の送受信ができる。
【００７２】
映画館サーバ３２には、各ユーザＡ〜Ｚのチケットの購入履歴に基づいて登録された、各ユーザＡ〜Ｚが観る予定の映画の情報が鑑賞スケジュールとして格納されている。図１０に鑑賞スケジュールの例を示す。映画の情報として上映開始時刻と上映シアターがユーザＡ〜Ｚに関連付けて格納されている。
【００７３】
デバイス距離測定装置４２は、デジタルサイネージ５２に隣接して配置され、各ユーザＡ〜Ｚが保持するスマートフォン６２Ａ〜６２Ｚとデジタルサイネージ５２との距離を測定し、デジタルサイネージ５２の近距離にあるスマートフォン６２Ａ〜６２Ｚ、つまりデジタルサイネージ５２の近くにいるユーザＡ〜Ｚを特定する。デバイス距離測定装置４２は、例えば参考文献１（Avik Ghose, Chirabrata Bhaumik and Tapas Chakravarty,“Blue-Eye - A System for Proximity Detection Using Bluetooth on Mobile Phones”, UbiComp '13, ACM, 2013, p.1135-1142）の技術を用いて実現することができる。
【００７４】
デジタルサイネージ５２は映画館内に配置される。デジタルサイネージ５２の近くに上映開始時刻が迫っている映画を観る予定のユーザがいるときは、上映開始時刻が近い旨を表示する。
【００７５】
スマートフォン６２Ａ〜６２Ｚは、ユーザＡ〜Ｚそれぞれが保持する携帯端末である。ユーザＡがスマートフォン６２Ａ、ユーザＢがスマートフォン６２Ｂ、ユーザＺがスマートフォン６２Ｚを保持している。
【００７６】
実施例２の情報出力装置１は、各ユーザＡ〜Ｚの関係を人間関係データとして格納した人間関係ＤＢ１７を備える。図１１に、人間関係ＤＢ１７に格納されるデータの例を示す。図１１に示す人間関係ＤＢ１７には、友人関係のあるユーザ同士をグループとしてまとめている。人間関係データは、予め手動またはソーシャルネットワーク等を分析することで求めておき、人間関係ＤＢ１７に格納されている。
【００７７】
以下、図２で示したフローチャートに沿って実施例２の動作について説明する。
【００７８】
実施例２では、現在時刻を１４：３０とし、ユーザＡは３０分後の１５：００から始まる映画のチケットを購入しており、デジタルサイネージ５２の近くにいて、デジタルサイネージ５２を見ているとする。そこに、ユーザＡの友人であるユーザＢが偶然通りかかったり、他人であるユーザＺがデジタルサイネージ５２を見に来るとする。
【００７９】
映画館サーバ３２は、現在時刻と上映開始時刻との差が所定の時間内（ここでは３０分）の映画を観る予定のユーザの情報を鑑賞スケジュールから検索し、直近スケジュール情報として情報入力部１１に送信する（ステップＳ１）。例えば、図１０の鑑賞スケジュールが映画館サーバ３２に格納されている場合、直近スケジュール情報として情報入力部１１に送信される情報は「ユーザＡ，１５：００，シアター３」である。
【００８０】
映画館サーバ３２は、一定期間ごとに、デジタルサイネージ５２の近距離に存在するスマートフォン６２Ａ〜６２Ｚを問い合わせて、デジタルサイネージ５２の近くにいるユーザの一覧情報を取得し、その一覧情報をデバイス周辺情報としてデバイス周辺情報入力部１２に送信する（ステップＳ２）。図１２に、実施例２のデバイス周辺情報の例を示す。実施例２のデバイス周辺情報は、デジタルサイネージ５２の近くにいるユーザの情報を有する。図１２（ａ）はユーザＡのみがデジタルサイネージ５２の近くにいるとき、図１２（ｂ）はユーザＡとユーザＢがデジタルサイネージ５２の近くにいるとき、図１２（ｃ）はユーザＡとユーザＺがデジタルサイネージ５２の近くにいるときのデバイス周辺情報を示している。
【００８１】
情報出力装置１がデバイス周辺情報を受信すると、デバイス公開度判定部１３は、デバイス周辺情報と人間関係データに基づいてデバイス公開度を判定する（ステップＳ３）。実施例２では、デジタルサイネージ５２の近くにいるユーザが同じグループに属するか否か（知人同士であるか否か）に基づいてデバイス公開度を判定する。
【００８２】
図１３は、実施例２のデバイス公開度の判定処理の流れを示すフローチャートである。
【００８３】
デバイス公開度判定部１３は、直近スケジュール情報に含まれるユーザＡがデバイス周辺情報に含まれるか否か判定する（ステップＳ３２１）。ユーザＡがデバイス周辺情報に含まれていない場合は、上映開始時刻が迫ったユーザＡはデジタルサイネージ５２を見ていないので、デバイス公開度を判定せず、デジタルサイネージ５２には直近スケジュール情報を表示しない（ステップＳ３２２）。
【００８４】
続いて、ユーザＡ以外のユーザがデバイス周辺情報に含まれているか否か判定する（ステップＳ３２３）。
【００８５】
ユーザＡ以外のユーザがデバイス周辺情報に含まれていないときは、ユーザＡのみがデジタルサイネージ５２を見ているので、デバイス公開度判定部１３はデバイス公開度を低と判定する（ステップＳ３２５）。
【００８６】
続いて、ユーザＡとグループが異なるユーザがデバイス周辺情報に含まれているか否か判定する（ステップＳ３２４）。
【００８７】
ユーザＡとグループが異なるユーザがデバイス周辺情報に含まれていないときは、ユーザＡとユーザＡの友人のみがデジタルサイネージ５２を見ているので、デバイス公開度判定部１３はデバイス公開度を中と判定する（ステップＳ３２６）。
【００８８】
ユーザＡとグループが異なるユーザがデバイス周辺情報に含まれているときは、ユーザＡとは関係のない他人もデジタルサイネージ５２を見ているので、デバイス公開度判定部１３はデバイス公開度を高と判定する（ステップＳ３２７）。
【００８９】
以上の処理により、例えばデバイス周辺情報が図１２（ａ）の場合、デジタルサイネージ５２の近くにはユーザＡしかいないので、デバイス公開度は低と判定される。デバイス周辺情報が図１２（ｂ）の場合、デジタルサイネージ５２の近くにはユーザＡとユーザＡの友人であるユーザＢしかいないので、デバイス公開度は中と判定される。デバイス周辺情報が図１２（ｃ）の場合、デジタルサイネージ５２の近くにはユーザＡとユーザＡとは関係のない他人のユーザＺがいるので、デバイス公開度は高と判定される。
【００９０】
デバイス公開度が判定されると、情報詳細度決定部１４は、デバイス公開度に基づいてデジタルサイネージ５２に表示させる表示項目を決定する（ステップＳ４）。
【００９１】
図１４は、実施例２の表示項目を判定する処理の流れを示すフローチャートである。
【００９２】
まず、情報詳細度決定部１４は、デバイス公開度が低か否か判定する（ステップＳ４２１）。
【００９３】
デバイス公開度が低の場合、名前、上映開始時刻、上映シアター名を表示するとともに、ベルを鳴らす、と決定する（ステップＳ４２３）。
【００９４】
続いて、情報詳細度決定部１４は、デバイス公開度が中か否か判定する（ステップＳ４２２）。
【００９５】
デバイス公開度が中の場合、名前、上映開始時刻を表示する、と決定する（ステップＳ４２４）。
【００９６】
デバイス公開度が中でない場合、つまりデバイス公開度が高の場合、名前、上映開始時刻が近い旨を表示する、と決定する（ステップＳ４２５）。
【００９７】
表示項目が決定されると、情報形式変換部１５は、ステップＳ１で受信した直近スケジュール情報の中から、情報詳細度決定部１４が決定した表示項目に該当する部分を抽出し、決められた形式に変換する（ステップＳ５）。図１５に、実施例２の変換後の出力情報の例をいくつか示す。図１５（ａ）はデバイス公開度が低のときの出力情報である。デバイス公開度が低のときは、直近スケジュール情報が名前、上映開始時刻、上映シアター名を含む形式に変換され、さらにベルを鳴らすことが指示される。図１５（ｂ）はデバイス公開度が中のときの出力情報である。デバイス公開度が中のときは、直近スケジュール情報が名前、上映開始時刻を含む形式に変換される。図１５（ｃ）はデバイス公開度が高のときの出力情報である。デバイス公開度が高のときは、直近スケジュール情報が名前を含む形式に変換され、上映開示時刻が近い旨が表示される。
【００９８】
そして、情報出力部１６は、変換後の出力情報を映画館サーバ３２に送信し、映画館サーバ３２からデジタルサイネージ５２に出力情報が送信されて、デジタルサイネージ５２の画面上に出力情報が表示される（ステップＳ６）。必要であれば、ベルが鳴らされる。
【００９９】
（実施例３）
次に、空港にあるデジタルサイネージ上に、ユーザの目的地の情報を表示する実施例３について説明する。実施例３では、デジタルサイネージの画面サイズや設置場所に応じて表示される情報の詳細さが変化する。
【０１００】
図１６は、実施例３における情報出力装置１を含む全体構成図である。実施例３では、サーバ３として空港サーバ３３、デバイス周辺情報収集装置４としてデバイス距離測定装置４３、情報表示端末５としてデジタルサイネージ５３Ａ〜５３Ｃを用いた。
【０１０１】
空港サーバ３３は、情報出力装置１、デバイス距離測定装置４３、デジタルサイネージ５３Ａ〜５３Ｃ、およびユーザが保持するスマートフォン６３とネットワーク経由で情報の送受信ができる。
【０１０２】
空港サーバ３３には、実施例３のサービスにおける各ユーザのアカウントと各ユーザが事前に登録した行き先が行き先情報として格納されている。図１７に行き先情報の例を示す。
【０１０３】
さらに、空港サーバ３３には、空港内にあるデジタルサイネージのデジタルサイネージＩＤ、画面サイズ、位置を含むデジタルサイネージ情報が格納されている。図１８にデジタルサイネージ情報の例を示す。
【０１０４】
デバイス距離測定装置４３は、ユーザが保持するスマートフォン６３と各デジタルサイネージ５３Ａ〜５３Ｃとの距離を測定し、スマートフォン６３が近距離にある、つまりユーザの近くにあるデジタルサイネージ５３Ａ〜５３Ｃを特定する。デバイス距離測定装置４３のセンサがデジタルサイネージ５３Ａ〜５３Ｃの近くに配置される。デバイス距離測定装置４３は、スマートフォン６３がデジタルサイネージ５３Ａ〜５３Ｃいずれかの近距離にある場合は、デジタルサイネージ５３Ａ〜５３Ｃの近くにいることや、近距離にあるデジタルサイネージ５３Ａ〜５３Ｃのメタデータをスマートフォン６３に通知する機能を有する。デバイス距離測定装置４３は、例えば参考文献１の技術を用いて実現することができる。
【０１０５】
デジタルサイネージ５３Ａ〜５３Ｃは、空港内に設置されて、ユーザに情報を提示する。
【０１０６】
スマートフォン６３は、ユーザが保持する携帯端末である。スマートフォン６３は、デバイス距離測定装置４３からデジタルサイネージ５３Ａ〜５３Ｃが近距離にあることを示す通知を受けて、本サービスにおけるユーザのアカウントを空港サーバ３３に送信する機能を有する。
【０１０７】
また、実施例３の情報出力装置１は、空港を中心とした周辺地図を格納した地図ＤＢ１８を備え、地図ＤＢ１８に行き先を入力すると、空港と行き先を含む地図が出力される。また、地図ＤＢ１８は、空港と行き先を含む地図において、行き先目印を表示して地図を出力したり、空港から行き先までの経路を表示して地図を出力できる。地図ＤＢ１８には、地図サービスを実現する一般的な技術を用いることができる（参考ＵＲＬ  “地図の検索−ｇｏｏ地図”、［ｏｎｌｉｎｅ］、エヌ・ティ・ティ  レゾナント株式会社、［２０１４年１１月２５日検索］、インターネット〈http://map.goo.ne.jp/〉）。
【０１０８】
以下、図２で示したフローチャートに沿って実施例３の動作について説明する。
【０１０９】
デバイス距離測定装置４３は、一定期間ごとに、デジタルサイネージ５３Ａ〜５３Ｃのいずれかの近距離にスマートフォン６３が存在するか否か判定する。スマートフォン６３を保持するユーザがデジタルサイネージ５３Ａ〜５３Ｃのいずれかに近づくと、デバイス距離測定装置４３は、スマートフォン６３が近距離にあるデジタルサイネージ５３Ａ〜５３Ｃを特定し、そのデジタルサイネージＩＤを空港サーバ３３に送信するとともに、スマートフォン６３にデジタルサイネージ５３Ａ〜５３Ｃが近くにあることを通知する。また、スマートフォン６３は、デジタルサイネージ５３Ａ〜５３Ｃが近距離にある通知を受けて、アカウントを空港サーバ３３に送信する。
【０１１０】
空港サーバ３３は、アカウントとデジタルサイネージＩＤを受信すると、受信したアカウントに合致する行き先情報を空港サーバ３３に格納された行き先情報から取得し、その行き先情報を情報入力部１１に送信する（ステップＳ１）。例えば、図１７のデータが空港サーバ３３に格納されているときに、スマートフォン６３をＡｌｉｃｅが保持していた場合、Ａｌｉｃｅの行き先である「第一ホテル」が情報入力部１１に送信される。
【０１１１】
また、空港サーバ３３は、受信したデジタルサイネージＩＤに合致するデジタルサイネージ情報を空港サーバ３３に格納されたデジタルサイネージ情報から取得し、そのデジタルサイネージ情報をデバイス周辺情報としてデバイス周辺情報入力部１２に送信する（ステップＳ２）。スマートフォン６３を保持するユーザが近づいたデジタルサイネージが、デジタルサイネージ５３Ａのときは「画面サイズ＝１００インチ，位置＝到着ロビー」、デジタルサイネージ５３Ｂのときは「画面サイズ＝４０インチ，位置＝到着ロビー」、デジタルサイネージ５３Ｃのときは「画面サイズ＝４０インチ，位置＝ラウンジ」というデジタルサイネージ情報がデバイス周辺情報入力部１２に送信される。
【０１１２】
情報出力装置１がデバイス周辺情報を受信すると、デバイス公開度判定部１３は、デバイス周辺情報に基づいてデバイス公開度を判定する（ステップＳ３）。実施例３では、デジタルサイネージ５３Ａ〜５３Ｃの画面サイズと位置に基づいてデバイス公開度を判定する。
【０１１３】
図１９は、実施例３のデバイス公開度の判定処理の流れを示すフローチャートである。
【０１１４】
まず、デバイス公開度判定部１３は、デバイス周辺情報の画面サイズが５０インチ未満、かつ、位置がラウンジであるか否か判定する（ステップＳ３３１）。
【０１１５】
画面サイズが５０インチ未満で位置がラウンジである場合は、画面サイズが小さく、不特定多数の人が見ることができにくいデジタルサイネージであるとして、デバイス公開度を低と判定する（ステップＳ３３３）。
【０１１６】
続いて、画面サイズが５０インチ未満、または、位置がラウンジであるか否か判定する（ステップＳ３３２）。
【０１１７】
画面サイズが５０インチ未満か位置がラウンジである場合は、画面サイズが小さいか、不特定多数の人が見ることができにくいデジタルサイネージであるとして、デバイス公開度を中と判定する（ステップＳ３３４）。
【０１１８】
画面サイズが５０インチ以上で位置がラウンジ以外である場合は、画面サイズが大きく、不特定多数の人が見ることができるデジタルサイネージであるとして、デバイス公開度を高と判定する（ステップＳ３３５）。
【０１１９】
以上の処理により、ユーザがデジタルサイネージ５３Ａの近くにいる場合、画面サイズが１００インチで位置が到着ロビーであるので、デバイス公開度は高と判定される。ユーザがデジタルサイネージ５３Ｂの近くにいる場合、画面サイズが４０インチで位置が到着ロビーであるので、デバイス公開度は中と判定される。ユーザがデジタルサイネージ５３Ｃの近くにいる場合、画面サイズが４０インチで位置がラウンジであるので、デバイス公開度は低と判定される。
【０１２０】
デバイス公開度か判定されると、情報詳細度決定部１４は、デバイス公開度に基づいてデジタルサイネージ５３Ａ〜５３Ｃに表示させる地図の表示項目を決定する（ステップＳ４）。
【０１２１】
図２０は、実施例３の表示する項目を判定する処理の流れを示すフローチャートである。
【０１２２】
まず、情報詳細度決定部１４は、デバイス公開度が低か否か判定する（ステップＳ４３１）。
【０１２３】
デバイス公開度が低の場合、地図、行き先目印、経路を表示する、と決定する（ステップＳ４３３）。
【０１２４】
続いて、情報詳細度決定部１４は、デバイス公開度が中か否か判定する（ステップＳ４３２）。
【０１２５】
デバイス公開度が中の場合、地図、行き先目印を表示する、と決定する（ステップＳ４３４）。
【０１２６】
デバイス公開度が中でない場合、つまりデバイス公開度が高の場合、地図のみを表示する、と決定する（ステップＳ４３５）。
【０１２７】
表示項目が決定されると、情報形式変換部１５は、地図ＤＢ１８を用いて、ステップＳ１で受信した行き先を含み、情報詳細度決定部１４が決定した表示項目が含まれる地図を作成する（ステップＳ５）。
【０１２８】
図２１は、実施例３の情報形式変換部１５が地図ＤＢ１８を用いて地図を作成する処理の流れを示すフローチャートである。
【０１２９】
まず、情報形式変換部１５は、空港と行き先を含む地図を作成する（ステップＳ５３１）。
【０１３０】
情報詳細度決定部１４の決めた表示項目に、
行き先目印が含まれるか否か判定し（ステップＳ５３２）、表示項目が行き先目印を含む場合は、地図上に行き先目印を表示する（ステップＳ５３３）。
【０１３１】
さらに、表示項目に、経路が含まれるか否か判定し（ステップＳ５３４）、表示項目が経路を含む場合は、地図上に経路を表示する（ステップＳ５３５）。
【０１３２】
そして、情報出力部１６は、情報形式変換部１５が作成した地図を空港サーバ３３に送信し、空港サーバ３３からユーザの近距離にあるデジタルサイネージ５３Ａ〜５３Ｃに地図が送信されて、デジタルサイネージ５３Ａ〜５３Ｃの画面上に出力情報が表示される（ステップＳ６）。
【０１３３】
図２２は、デジタルサイネージ５３Ａ〜５３Ｃそれぞれに表示される画面の例を示す図である。
【０１３４】
図２２（ａ）は、デバイス公開度が高と判定されたデジタルサイネージ５３Ａに表示される画面である。図２２（ａ）では、画面上には空港と行き先である第一ホテルを含む地図のみが表示されている。
【０１３５】
図２２（ｂ）は、デバイス公開度が中と判定されたデジタルサイネージ５３Ｂに表示される画面である。図２２（ｂ）では、画面上には空港と行き先である第一ホテルを含む地図と第一ホテルが行き先であることを示す行き先目印が表示されている。
【０１３６】
図２２（ｃ）は、デバイス公開度が低と判定されたデジタルサイネージ５３Ｃに表示される画面である。図２２（ｃ）では、画面上には空港と行き先である第一ホテルを含む地図と第一ホテルが行き先であることを示す行き先目印に加えて、空港から第一ホテルまでの経路が表示されている。
【符号の説明】
【０１３７】
１…情報出力装置
１１…情報入力部
１２…デバイス周辺情報入力部
１３…デバイス公開度判定部
１４…情報詳細度決定部
１５…情報形式変換部
１６…情報出力部
１７…人間関係ＤＢ
１８…地図ＤＢ
３…サーバ
３１…ホームサーバ
３２…映画館サーバ
３３…空港サーバ
４…デバイス周辺情報収集装置
４１…顔認識装置
４２，４３…デバイス距離測定装置
５…情報表示端末
５１…スマートＴＶ
５２，５３Ａ〜５３Ｃ…デジタルサイネージ
６１，６２Ａ〜６２Ｚ，６３…スマートフォン
【図１】
2016099920.tif 000003
【図２】
2016099920.tif 000004
【図３】
2016099920.tif 000005
【図４】
2016099920.tif 000006
【図５】
2016099920.tif 000007
【図６】
2016099920.tif 000008
【図７】
2016099920.tif 000009
【図８】
2016099920.tif 000010
【図９】
2016099920.tif 000011
【図１０】
2016099920.tif 000012
【図１１】
2016099920.tif 000013
【図１２】
2016099920.tif 000014
【図１３】
2016099920.tif 000015
【図１４】
2016099920.tif 000016
【図１５】
2016099920.tif 000017
【図１６】
2016099920.tif 000018
【図１７】
2016099920.tif 000019
【図１８】
2016099920.tif 000020
【図１９】
2016099920.tif 000021
【図２０】
2016099920.tif 000022
【図２１】
2016099920.tif 000023
【図２２】
2016099920.tif 000024